(57)【要約】【課題】従来の低所式防霜ファンでは、従来の問題の一部を解消できる。しかし、収容には、地中に凹部(ヒ゜ット)を掘る作業及び／又はカ゛ート゛を外す作業、ホ゜ール又は防霜ファンの折畳み作業を必要とする。この作業は、設置コストの上昇と、手間が掛る。また多数の防霜ファンに対して、この作業を行なうことは、到底不可能である。また防霜ファンの径を小さくし、収容を容易にした場合は、防霜効果が発揮できる送風距離を確保できず、本来の目的が達成されない。【構成】本発明は、圃場の埋設ホ゜ールに設けたホ゜ールと、ホ゜ールに防霜ファン取付機構を介して設けた数基の防霜ファンとで構成した多頭方式の低所式防霜ファンで、数基の防霜ファンは、防霜ファン取付機構にそれぞれ設けた首振り及び／又は俯角調整用の支持手段と、支持手段に設けた筒体と、この筒体に設けた渦状の整流板、防霜用のファンとで構成する。従って、低所式防霜ファンの茶樹内への収容を、適確かつ容易にできる。防霜効果を発揮できる送風距離が確保できる。低所式防霜ファン等の利点を最大限に発揮し、効率的な防霜効果が期待できる。【選択図】    図３
2004190629.tif 000002
【特許請求の範囲】
【請求項１】
圃場に設けたホ゜ールと、このホ゜ールに設けた防霜ファン取付機構と、この防霜ファン取付機構に設けた支持手段と、この支持手段に設けた数基の防霜ファンとで構成した多頭方式の低所式防霜ファンであって、
この数基の防霜ファンは、前記支持手段に設けた円筒状の筒体と、この円筒状の筒体に支持部を介して設けた防霜用のファン及び整流板と、この防霜用のファンを駆動するヂ[タとで構成した防霜ファンと、また前記支持手段に設けたカ゛ート゛と、このカ゛ート゛に支持部を介して設けた防霜用のファンと、この防霜用のファンを駆動するヂ[タとで構成した防霜ファンとの組合せでなる多頭方式の低所式防霜ファン装置。
【請求項２】
圃場に設けたホ゜ールと、このホ゜ールに設けた防霜ファン取付機構と、この防霜ファン取付機構に設けた支持手段と、この支持手段に設けた数基の防霜ファンとで構成した多頭方式の低所式防霜ファンであって、
この数基の防霜ファンは、前記支持手段に設けた円筒状の筒体と、この円筒状の筒体に支持部を介して設けた防霜用のファン及び整流板と、この防霜用のファンを駆動するヂ[タとで構成した多頭方式の低所式防霜ファン装置。
【請求項３】
圃場に設けたホ゜ールと、このホ゜ールに設けた防霜ファン取付機構と、この防霜ファン取付機構に設けた支持手段と、この支持手段に設けた数基の防霜ファンとで構成した多頭方式の低所式防霜ファンであって、
この数基の防霜ファンは、前記支持手段に設けたカ゛ート゛と、このカ゛ート゛に支持部を介して設けた防霜用のファンと、この防霜用のファンを駆動するヂ[タとで構成した多頭方式の低所式防霜ファン装置。
【請求項４】
請求項1、請求項2又は請求項3に記載の防霜ファン取付機構は、前記ホ゜ールに設けた昇降機構を備えた第1のケーシンク゛と、この第1のケーシンク゛の上に傾斜俯角調整機構を介して設けた防霜ファン用の首振り機構を備えた第2のケーシンク゛とで構成した多頭方式の低所式防霜ファン装置。
【請求項５】
請求項1、請求項2又は請求項3に記載の筒体及び／又はカ゛ート゛は、前記支持手段に風達俯角調整機構を介して設ける構成とした多頭方式の低所式防霜ファン装置。
【請求項６】
請求項4に記載の防霜ファン用の首振り機構は、首振りヂ[タと、この首振りヂ[タで動く駆動側リンクと、この駆動側リンクに連結するリンクアームと、このリンクアームに連結する従動側リンクと、この従動側リンクで回転する回転軸と、この回転軸に設けた首振り架台とで構成した多頭方式の低所式防霜ファン装置。
【請求項７】
請求項1、請求項2又は請求項3に記載のホ゜ールは、昇降ホ゜ールであって、この昇降ホ゜ールは埋設ホ゜ール内に収容可能で、また埋設ホ゜ール外に引出し可能に構成した多頭方式の低所式防霜ファン装置。
【発明の詳細な説明】
【０００１】
【発明の属する技術分野】
この発明は、多頭方式の低所式防霜ファン装置に関する。
【０００２】
【従来の技術】
周知の如く、茶園(茶畠)、桑畠、果樹園、果菜類、野菜類等圃場(農場)の凍霜害防止(防霜)方法では、防霜ファン装置が重宝されている。この防霜ファン装置には、建柱式防霜ファン装置と、低所式防霜ファン装置、又は移動式防霜ファン装置等があるので、概要を説明する。
【０００３】
(1)  建柱式防霜ファン装置は、圃場の枕地及び／又は圃場内に立設した建柱上に、一基の首振り・俯角調整自在な防霜ファンを設け、この防霜ファンの首振りと、防霜ファンの俯角を利用して圃場の地表面に対して逆転層の暖気を吹き降ろす構成である。しかし、この建柱式防霜ファン装置は、吹き降ろした空気(暖気)を利用して効率的な防霜ができる反面、次のような問題点が指摘されている。▲１▼近時、茶園の近代化、高齢化、又は人手不足等から、乗用式、又はレール走行式、クローラー走行式等による大型茶刈機、大型防除機等の如く、大型茶園管理装置が導入される傾向にある。しかし、この大型茶園管理装置の走行(使用)には、圃場内に立設する建柱が邪魔となり、導入が図れない、▲２▼建柱式防霜ファン装置に一基設けた防霜ファンでは、希望する防霜効果が得られない、▲３▼希望する防霜効果が得られない状況では、当然、多数の建柱式防霜ファン装置を要し、設備費、維持管理費(ランニンク゛コスト)等が嵩むこと、等である。
【０００４】
この問題の解決策として、昇降式の低所式防霜ファン装置、又は移動式の低所式防霜ファン装置等(以下、総称する場合には、低所式防霜ファン装置とする)が挙げられる。この昇降式の低所式防霜ファン装置は、茶樹内への収容できること、又はこの収容可により大型茶園管理装置の導入が図れること、等の特徴があり重宝される。また移動式の低所式防霜ファンは、圃場から退避できることで、大型茶園管理装置の導入が図れること、又は倉庫等に収容できること、圃場の所望する箇所で送風ができること、等の特徴があり重宝される。
【０００５】
本出願人は、この種の低所式防霜ファン装置に関し、多数の特許出願等をする。その一例を説明すると、昇降式の低所式防霜ファンがある。例えば、特開平10-42722号の茶樹内収容式低所型の茶園用防霜ファン装置(文献(1))は、茶樹(茶畝)に埋設した筒体と、筒体に挿入・突出可能な支柱と、支柱に首振り・俯角調整を設けた防霜ファンとでなり、防霜ファンを茶樹内に収容可能として大型茶園管理装置の使用、又は茶樹上に設置(突出)して凍霜害防止を図る。但し、この収容には、カ゛ート゛、ファンを取外す必要がある。また他社の低所式防霜ファン装置としては、特開平10-113076号の防霜ファン(文献(2))がある。その内容は、伸縮式ホ゜ールの先端に支持部を設け、この支持部に折畳み可能なアームを設け、このアームに送風機本体を設けてなり、ホ゜ールの収縮とアームの折畳みを介して送風機本体を、茶樹内の地面の僅か上に折畳み収容する構成であり、前述と略同じ効果が期待できる。さらに本出願人の他の低所式防霜ファン装置としては、特開2000-50748の傾斜地対応の移動式防霜ファンの台車(文献(3))がある。その内容は、圃場のレールに沿って走行(移動)可能とした構成であり、例えば、前述と略同じ効果が期待できること、又は気候条件に対応した送風ができる。
【０００６】
しかし、この種の低所式防霜ファンは、近時、大型茶園管理装置の導入等の状況から、新たな要望があり、次のような問題点が指摘されている。▲１▼一例として、逆転層の暖気を捉えて(キャッチして)、この暖気利用による防霜効果を期待しても不可能である、▲２▼低所式防霜ファン装置では、建柱式防霜ファン装置に対して、効率的な防霜効果が期待できない状況が多くなり、この低所式防霜ファン装置の台数が増加する、▲３▼また台数の増加は、ランニンク゛コストの上昇を招来する、等が考えられる。
【０００７】
【発明が解決しようとする課題】
従来の低所式防霜ファン装置では、大型茶園管理装置の導入が図れることで、従来の問題点の一面を解消できる。しかし、この防霜ファンの収容に関し、例えば、防霜ファンの一部を収容するために地中に凹部(ヒ゜ット)を掘る作業及び／又はカ゛ート゛等を外す作業、ホ゜ール又は防霜ファンの折畳み作業等を必要とする。従って、従来の低所式防霜ファン装置では、設置コストの上昇、手間を要すること、又は多数基の防霜ファン装置に対して、この作業を行なうことは、到底不可能であること、等の弊害がある。
【０００８】
また従来の低所式防霜ファン装置では、送風範囲をワイト゛に設定し、(小さい)首振り動作を介して効率的に送風する機構となっていない。従って、防霜ファンによる送風を、広範囲で、しかも効率的に行なうことが困難視されており、結果的に、効率的な防霜効果が期待できないこと、また低所式防霜ファン装置の台数の増加を招来すること、等の弊害が考えられていた。
【０００９】
尚、前記凹部の解消を意図して、例えば、この低所式防霜ファン装置の防霜ファンを小径として、収容を容易にした場合は、送風距離の確保が図れないこと、効率的な防霜効果が期待できないこと、等の問題が発生する。
【００１０】
上記に鑑み本発明は、大型茶園管理装置の導入を図ること、又は多頭方式の低所式防霜ファン装置において、当初より送風範囲をワイト゛に設定し、小さい首振り動作を介して効率的に送風し、この防霜ファンによる送風を、広範囲で、しかも効率的に行なうこと、又は効率的な防霜効果を達成し、結果的に、低所式防霜ファン装置の台数の減少と、コストの削減化を図ること、等を意図する。また防霜効果を発揮できる送風距離を確保して、低所式防霜ファンの台数を少なくすること、等を意図する。また本発明では、葉面の温度が確保された状態で、葉面風(葉面を流れる風)を安定的に、かつ広範囲に供給する。これにより、凍霜害防止を図り、かつ葉面の温度を確保する。そして、肝要なことは、固定式の多頭方式の低所式防霜ファン装置、又は首振り式の多頭方式の低所式防霜ファン装置の何れであっても、葉面に霜が降りる前に、必ず送風する。尚、首振り動作の場合には、葉面に霜が降りる前に、必ず基の位置に戻って送風することを意図する。
【００１１】
【課題を解決するための手段】
請求項1の発明は、送風範囲をワイト゛に設定し、固定方式(首振りなし)、又は小さい首振り動作(首振り方式)を介して広範囲で、しかも効率的に送風を行なうこと、又は効率的な防霜効果を達成し、結果的に、低所式防霜ファン装置の台数の減少と、ランニンク゛コストの削減化を図ること、等を意図する。また大型茶園管理装置の導入を図り、利便性を確保すること、また低所式防霜ファン装置の普及促進を図ること、等を意図する。
【００１２】
請求項1は、圃場に設けたホ゜ールと、このホ゜ールに設けた防霜ファン取付機構と、この防霜ファン取付機構に設けた支持手段と、この支持手段に設けた数基の防霜ファンとで構成した多頭方式の低所式防霜ファンであって、
この数基の防霜ファンは、前記支持手段に設けた円筒状の筒体と、この円筒状の筒体に支持部を介して設けた防霜用のファン及び整流板と、この防霜用のファンを駆動するヂ[タとで構成した防霜ファンと、また前記支持手段に設けたカ゛ート゛と、このカ゛ート゛に支持部を介して設けた防霜用のファンと、この防霜用のファンを駆動するヂ[タとで構成した防霜ファンとの組合せでなる多頭方式の低所式防霜ファン装置である。
【００１３】
請求項2の発明は、請求項1の目的を達成することを意図する。
【００１４】
請求項2は、圃場に設けたホ゜ールと、このホ゜ールに設けた防霜ファン取付機構と、この防霜ファン取付機構に設けた支持手段と、この支持手段に設けた数基の防霜ファンとで構成した多頭方式の低所式防霜ファンであって、
この数基の防霜ファンは、前記支持手段に設けた円筒状の筒体と、この円筒状の筒体に支持部を介して設けた防霜用のファン及び整流板と、この防霜用のファンを駆動するヂ[タとで構成した多頭方式の低所式防霜ファン装置である。
【００１５】
請求項3の発明は、請求項1の目的を達成することを意図する。
【００１６】
請求項3は、圃場に設けたホ゜ールと、このホ゜ールに設けた防霜ファン取付機構と、この防霜ファン取付機構に設けた支持手段と、この支持手段に設けた数基の防霜ファンとで構成した多頭方式の低所式防霜ファンであって、
この数基の防霜ファンは、前記支持手段に設けたカ゛ート゛と、このカ゛ート゛に支持部を介して設けた防霜用のファンと、この防霜用のファンを駆動するヂ[タとで構成した多頭方式の低所式防霜ファン装置である。
【００１７】
請求項4の発明は、請求項1の目的を達成すること、又は請求項1、請求項2又は請求項3に最適な防霜ファン取付機構を提供すること、等を意図する。
【００１８】
請求項4は、請求項1、請求項2又は請求項3に記載の防霜ファン取付機構は、前記 ホ゜ールに設けた昇降機構を備えた第1のケーシンク゛と、この第1のケーシンク゛の上に傾斜俯角調整機構を介して設けた防霜ファン用の首振り機構を備えた第2のケーシンク゛とで構成した多頭方式の低所式防霜ファン装置である。
【００１９】
請求項5の発明は、請求項1の目的を達成すること、又は請求項1、請求項2又は請求項3に最適な筒体及び／又はカ゛ート゛を提供すること、等を意図する。
【００２０】
請求項5は、請求項1、請求項2又は請求項3に記載の筒体及び／又はカ゛ート゛は、前記支持手段に風達俯角調整機構を介して設ける構成とした多頭方式の低所式防霜ファン装置である。
【００２１】
請求項6の発明は、請求項1の目的を達成すること、又は請求項4に最適な防霜ファン用の首振り機構を提供すること、等を意図する。
【００２２】
請求項6は、請求項4に記載の防霜ファン用の首振り機構は、首振りヂ[タと、この首振りヂ[タで動く駆動側リンクと、この駆動側リンクに連結するリンクアームと、このリンクアームに連結する従動側リンクと、この従動側リンクで回転する回転軸と、この回転軸に設けた首振り架台とで構成した多頭方式の低所式防霜ファン装置である。
【００２３】
請求項7の発明は、請求項1の目的を達成すること、又は請求項1、請求項2又は請求項3に最適なホ゜ール構造を提供すること、等を意図する。
【００２４】
請求項7は、請求項1、請求項2又は請求項3に記載のホ゜ールは、昇降ホ゜ールであって、この昇降ホ゜ールは埋設ホ゜ール内に収容可能で、また埋設ホ゜ール外に引出し可能に構成した多頭方式の低所式防霜ファン装置である。
【００２５】
【発明の実施の形態】
以下、本発明の一実施態様を、模式的に示した、図12(イ)、(ロ)の一例を基に説明する。この例では、図7に示した三基ともケーシンク゛を備えた防霜ファンを設けてなる多頭方式の低所式防霜ファン装置で、(イ)は固定方式を利用して茶畝に対して送風する。例えば、茶樹の上に設置された各防霜ファン(三基の防霜ファン)より、三方向への略同じ距離に達する送風空気(W1)〜(W3)を示している。従って、当初より送風範囲をワイト゛に設定し、固定方式で広域的に送風する。従って、効率的な防霜効果を達成し、結果的に、低所式防霜ファン装置の台数の減少と、コスト又はランニンク゛コスト等の軽減化、削減化を図ること、等を意図する。またこの例では、送風空気の重畳部(W4)、(W5)の送風距離の拡大が利用できる。従って、一部の防霜効果面積を、略1.2〜1.5倍程度拡大できることを実験で確認しており(尚、略1.2〜1.6倍程度は可能である)、大きな防霜効果の拡充が期待できる。この例の如く、各防霜ファンの固定方式においては、重畳部(W4)、(W5)の送風距離の拡大が顕著である。この例の(ロ)は、(イ)の構成において、首振り方式を採用した一例であり、当初より送風範囲をワイト゛に設定し、小さい首振り動作を介して効率的に送風し、この防霜ファンによる送風を、広範囲で、しかも効率的に行なうこと、又は効率的な防霜効果を達成し、結果的に、低所式防霜ファン装置の台数の減少と、コストの軽減化等を図ること、等を意図する。この例においても、前記の重畳部(図示せず)の送風距離の拡大が期待できる。尚、矢印は、送風空気(W1)〜(W3)の移動を示しており、Aが向って左方向(行き)、Bが向って右方向(帰り)、をそれぞれ示す。
【００２６】
次に図13の一例を基に説明する。この例では、図4に示した構成例であり、中心にケーシンク゛を備えた防霜ファンを、またその両端にカ゛ート゛を備えた防霜ファンを設けてなる多頭方式の低所式防霜ファン装置を、茶畝の角に設け、この低所式防霜ファン装置のケーシンク゛を備えた防霜ファンより対角線の方向に向って送風する。例えば、各防霜ファンより三方向への送風空気(W1)〜(W3)を示している。この例では、中心の防霜ファンを利用して遠方に送風し、また両端の防霜ファンを利用して遠方より手前側に送風する。従って、この例では、模式的には、略方形範囲で防霜効果が期待できることと、茶畝に邪魔されることが少なくなりスムース゛な送風が期待できる。尚、防霜ファンの首振りは、前述の図12(ロ)に準ずる。
【００２７】
何れにしても、圃場内の茶樹に送風して、無駄をなくしつつ、確実な防霜効果を確保する。そして、各例とも、茶樹の上に設置された数基の防霜ファンから、各方向に向かって送風される。この茶樹の葉面に対して如何に送風を行うかは、例えば、茶樹の生育・樹齢、また葉面の温度等の条件、地面の形態、又は気流の流れ、気温等により決定される。従って、基本的には、次の要素が考えられる。
▲１▼  葉面に対する送風方向は、(イ)略水平方向の送風(水平送風)、(ロ)俯角をもって送風(俯角送風)とがある。
▲２▼  また葉面に対する送風範囲は、(ハ)固定方式と、(ニ)首振り方式とがある。
▲３▼  数基の防霜ファンを個別に作動する。例えば、(ホ)中心の防霜ファンを固定方式、左右の防霜ファンを首振り方式とする。また(ヘ)中心の防霜ファンを首振り方式、左右の防霜ファンを固定方式とする。さらに例えば、(ト)中心の防霜ファンを水平送風、左右の防霜ファンを俯角送風とする。また(チ)中心の防霜ファンを俯角送風、左右の防霜ファンを水平送風とする。
▲４▼  数基の防霜ファンを同じ条件で作動する。
【００２８】
以上で説明した送風方式があり、この▲１▼〜▲３▼における(イ)〜(チ)と▲４▼とを適宜選択することで、より確実、簡易な方法で防霜効果を図る。
【００２９】
そこで、前記要素と、凍霜害の発生が予想される気候条件、地形等との関係を、以下に説明する。
【００３０】
(1)  温度が低めの状態では、集中送風方式が理想であり、例えば、(ロ)俯角送風方式で、(ハ)固定方式を採用する。
【００３１】
(2)  温度が高めの状態では、拡散(間欠)送風方式が理想であり、例えば、(イ)水平送風方式で、(ニ)首振り方式を採用する。
【００３２】
(3)  地形が水平と、凹凸等の如く変化がある場合には、原則として、地形に準ずる。そして、温度の高低がある場合には、前述の通り送風方式を採用する。例えば、高い地形に対しては、上向きの俯角をもって送風する方式を、また低い地形に対しては、下向きの俯角をもって送風する方式を採用する。
【００３３】
尚、いずれにしても、低所式防霜ファン装置の特徴を最大限に発揮して、広い面積に亙って送風して、この広い面積にある各種の果菜類、野菜類等圃場(農場)の防霜効果(凍霜害防止) が図れる。この低所式防霜ファン装置の採用は、大型茶園管理装置の導入と、その使用の確保に途を開き、しかも昨今の農業環境に対応できること、等の実益がある。また地形及び／又は気候条件、茶樹の成長、状況等の如く、種々の条件に対応した取扱いができること、またこの防霜効果は、品質向上、美味な米、麦、野菜、果物、果実、花類等の作物の生育、収穫等が図れること、又は芝、木、植物等の生物の生育、管理等ができること、等の特徴がある。またこれらの早生栽培に途を開くこと、又は生育、栽培等に最適な環境を提供できること、また栽植の最適化とその維持、又は植木・樹の植栽本数の向上が図れること、等の実益がある。
【００３４】
尚、図示しないが、必要により、防霜ファンを、逆転層に到達する構成を採用して、このエリアの暖気を利用することも可能である。
【００３５】
【実施例】
以下、本発明の一実施例を説明する。尚、本発明では、同じ構造の部品は、同じ番号及び名称を使用する。
【００３６】
圃場Hの主として茶樹H1内(大型茶園管理装置の走行に障害とならない箇所)に立設した低所式防霜ファン装置1は、茶樹H1内の地面H2に埋設した埋設ホ゜ール2と、この埋設ホ゜ール2に設けた昇降ホ゜ール3と、この昇降ホ゜ール3に設けた第1のケーシンク゛4(防霜ファン取付機構の一部)と、この第1のケーシンク゛4に設けた傾斜俯角調整機構5と、この傾斜俯角調整機構5に設けた第2のケーシンク゛6(防霜ファン取付機構の一部)と、この第2のケーシンク゛6に設けた支持手段7と、この支持手段7で架承される防霜ファン8とで構成されている。この例では、支持手段7は、第2のケーシンク゛6に設けた少なくとも一本の本体支持部70と、この本体支持部70よりそれぞれ延設した数本の支持腕71とで構成する。尚、具体的には、この支持腕71に、後述する可動板を介して防霜ファン8を設けてある。
【００３７】
この昇降ホ゜ール3(第1・2の昇降ホ゜ール30、31)は、第1のケーシンク゛4に設けた昇降用のヂ[タ40と、この昇降用のヂ[タ40に設けた第1の螺軸41と、この螺軸41に連繋する第2の螺軸42と、この第1・2の螺軸41、42に噛合する1個又は数個のナット43、44と、このナット43が固定される前記第2の螺軸42と、またナット44が固定されるヘ゛ース46に固止した角筒45及びシ゛ャッキ機構(図示せず)とで構成されており、この昇降用のヂ[タ40の正転で第1の螺軸41が上昇し、後述する第1の昇降ホ゜ール30が上昇する(埋設ホ゜ールより突出する)。この第1の昇降ホ゜ール30が上昇限に達した段階で、この第1の昇降ホ゜ール30に設けた係止片が、第2の昇降ホ゜ール31の被係止部に係止する。その後、さらに昇降用のヂ[タ40の正転で第1・2の螺軸41、42が上昇し、後述する第1・2の昇降ホ゜ール30、31が上昇する(埋設ホ゜ールより突出する)。この第1・2の昇降ホ゜ール30、31、ナット43、44等の構成は一例である。尚、昇降用のヂ[タ40に設けた第1・2の螺軸41、42の逆転で、第1・2の昇降ホ゜ール30、31は、埋設ホ゜ール2に収容される。
【００３８】
前記第2のケーシンク゛6には、首振り機構60が設けられており、この首振り機構60は、首振り用のヂ[タ61と、この首振り用のヂ[タ61に設けた駆動側リンク62と、この駆動側リンク62に連結するリンクアーム63と、このリンクアーム63に連結する従動側リンク64と、この従動側リンク64で回転する回転軸65と、この回転軸65に設けた首振り用の架台66とで構成されている。従って、首振り用のヂ[タ61の回転で駆動側リンク62が回転する。この駆動側リンク62の回転に伴って、リンクアーム63が図1の図面上で左右に動き、このリンクアーム63の左右の動きに伴って従動側リンク64が所定角度回転する。この従動側リンク64の回転により、回転軸65が所定範囲(例えば、小さい範囲)において動く(首振り動作する)。この動きは、第2のケーシンク゛6の上に架承した首振り用の架台66に伝達されることで、当該首振り用の架台66に首振り動作が付与される。この首振り機構60は一例である。
【００３９】
前記必要により付設される(防霜ファン8の)傾斜俯角調整機構5は、第2のケーシンク゛6に設けた対の止め具67と、この第2のケーシンク゛6に対で設けた対の長孔10aを備えた対の壁面10bを有する固定台10とで構成し、止め具67の緊締解除で首振り用の架台66及び防霜ファン8の角度を変更し、この変更した位置における止め具67の緊締による操作を介して防霜ファン8の俯角を調整する。
【００４０】
図中11は必要により付設される風達俯角調整機構で、この風達俯角調整機構11は、分岐式の支持手段7、又は防霜ファン8のヂ[タヘ゛ースに設けた支持手段7に付設した対の止め具72と、この支持手段7に対で設けた長孔110aを備えた可動板110とで構成し、止め具72の緊締解除で防霜ファン8の角度を変更し、この変更した位置における止め具72の緊締による操作を介して風達俯角を調整する。
【００４１】
前記防霜ファン8は、図6〜図8の筒状のケーシンク゛80を備えた構造と、図9〜図11の網体、整流体等でなるカ゛ート゛84を備えた構造とがある。この図6〜図8の防霜ファン8は、外郭を構成する筒状の筒体(ケーシンク゛)80と、この筒体80に設けた整流板81、又は支持部(図示せず)と、この支持部に設けた防霜用のファン82及びヂ[タ83とで構成されている。この整流板81は、整流効果及び／又は到達距離の拡充、また安全性、小鳥の進入防止等を意図する。この整流板81は、その先端を筒体80に螺子止め等の止め具81aで取付け、基端を止め板81bに差込み係止する構成であり、簡易な取付けと、交換の容易化等を意図する。またこの図9〜図11の防霜ファン8は、外郭を構成する略円盤状のカ゛ート゛84と、支持手段7に設けたヂ[タヘ゛ース83aと、このヂ[タヂ[タヘ゛ース83aに設けたヂ[タ83及び防霜用のファン82とで構成されている。そして、このカ゛ート゛84は、安全性、小鳥、障害物等の進入防止等を意図する。
【００４２】
尚、筒体80の裏面側に保護網80aを設け、人の手の挿入防止、怪我の回避、又は鳥、障害物等の進入防止を図り、防霜用のファン82を保護すること、確実な送風を図ること、等を意図する。
【００４３】
【発明の効果】
請求項1の発明は、圃場に設けたホ゜ールと、ホ゜ールに設けた防霜ファン取付機構と、防霜ファン取付機構に設けた支持手段と、この支持手段に設けた数基の防霜ファンとで構成した多頭方式の低所式防霜ファンであって、数基の防霜ファンは、支持手段に設けた円筒状の筒体と、円筒状の筒体に支持部を介して設けた防霜用のファン及び整流板と、防霜用のファンを駆動するヂ[タとで構成した防霜ファンと、また支持手段に設けた カ゛ート゛と、カ゛ート゛に支持部を介して設けた防霜用のファンと、防霜用のファンを駆動するヂ[タとで構成した防霜ファンとの組合せでなる多頭方式の低所式防霜ファン装置である。従って、送風範囲をワイト゛に設定し、固定方式、又は小さい首振り動作を介して広範囲で、しかも効率的に送風が行なえること、又は効率的な防霜効果を達成し、結果的に、低所式防霜ファン装置の台数の減少と、ランニンク゛コストの削減化が図れること、等の特徴がある。また大型茶園管理装置の導入を図り、利便性を確保できること、また低所式防霜ファン装置の普及促進が図れること、等の実益がある。
【００４４】
請求項2の発明は、圃場に設けたホ゜ールと、ホ゜ールに設けた防霜ファン取付機構と、防霜ファン取付機構に設けた支持手段と、この支持手段に設けた数基の防霜ファンとで構成した多頭方式の低所式防霜ファンであって、数基の防霜ファンは、支持手段に設けた円筒状の筒体と、円筒状の筒体に支持部を介して設けた防霜用のファン及び整流板と、防霜用のファンを駆動するヂ[タとで構成した多頭方式の低所式防霜ファン装置である。従って、請求項1の目的を達成できる特徴がある。
【００４５】
請求項3の発明は、圃場に設けたホ゜ールと、ホ゜ールに設けた防霜ファン取付機構と、防霜ファン取付機構に設けた支持手段と、この支持手段に設けた数基の防霜ファンとで構成した多頭方式の低所式防霜ファンであって、数基の防霜ファンは、支持手段に設けたカ゛ート゛と、カ゛ート゛に支持部を介して設けた防霜用のファンと、防霜用のファンを駆動するヂ[タとで構成した多頭方式の低所式防霜ファン装置である。従って、請求項1の目的を達成できる特徴がある。
【００４６】
請求項4の発明は、請求項1、請求項2又は請求項3に記載の防霜ファン取付機構は、ホ゜ールに設けた昇降機構を備えた第1のケーシンク゛と、第1のケーシンク゛の上に傾斜俯角調整機構を介して設けた防霜ファン用の首振り機構を備えた第2のケーシンク゛とで構成した多頭方式の低所式防霜ファン装置である。従って、請求項1の目的を達成できること、又は請求項1、請求項2又は請求項3に最適な防霜ファン取付機構を提供できること、等の特徴がある。
【００４７】
請求項5の発明は、請求項1、請求項2又は請求項3に記載の筒体及び／又はカ゛ー ト゛は、支持手段に風達俯角調整機構を介して設ける構成とした多頭方式の低所式防霜ファン装置である。従って、請求項1の目的を達成できること、又は請求項1、請求項2又は請求項3に最適な筒体及び／又はカ゛ート゛を提供できること、等の特徴がある。
【００４８】
請求項6の発明は、請求項4に記載の防霜ファン用の首振り機構は、首振りヂ[タと、首振りヂ[タで動く駆動側リンクと、駆動側リンクに連結するリンクアームと、リンクアームに連結する従動側リンクと、従動側リンクで回転する回転軸と、回転軸に設けた首振り架台とで構成した多頭方式の低所式防霜ファン装置である。従って、請求項1の目的を達成できること、又は請求項4に最適な防霜ファン用の首振り機構を提供できること、等の特徴がある。
【００４９】
請求項7の発明は、請求項1、請求項2又は請求項3に記載のホ゜ールは、昇降ホ゜ールであって、この昇降ホ゜ールは埋設ホ゜ール内に収容可能で、また埋設ホ゜ール外に引出し可能に構成した多頭方式の低所式防霜ファン装置である。従って、請求項1の目的を達成できること、又は請求項1、請求項2又は請求項3に最適なホ゜ール構造を提供できること、等の特徴がある。
【図面の簡単な説明】
【図1】多頭方式の低所式防霜ファンを圃場に設け、茶樹内にセットした状態の一例を示した模式図
【図2】多頭方式の低所式防霜ファンを圃場に設け、葉面上にセットした状態の一例を示した模式図
【図3】多頭方式の低所式防霜ファンを筒状のケーシンク゛を備えた構造と、カ゛ート゛用の網体を備えた構造を組み合せた一例を示す正面図
【図4】図3の平面図
【図5】図3の側面図
【図6】多頭方式の低所式防霜ファンを筒状のケーシンク゛を備えた構造とした一例を示す正面図
【図7】図6の平面図
【図8】図6の側面図
【図9】多頭方式の低所式防霜ファンをカ゛ート゛用の網体を備えた構造とした一例を示す正面図
【図10】図9の平面図
【図11】図9の側面図
【図12】多頭方式の低所式防霜ファンによる風の分布の一例を示した俯瞰図、(イ)は茶畝に対して送風し、例えば、茶樹の上に設置された各防霜ファン(三基の防霜ファン)より、三方向への送風空気(W1)〜(W3)を示す、(ロ)は前記(イ)の他の例を示す
【図13】多頭方式の低所式防霜ファンによる風の分布の一例を示した俯瞰図、茶畝の角より対角線に向って、各防霜ファンより三方向への送風空気(W1)〜(W3)を示す
【図14】多頭方式の低所式防霜ファンを筒状のケーシンク゛を備えた構造とした一例の整流板と筒体との関係を示した拡大正面図
【符号の説明】
1       低所式防霜ファン装置
2       埋設ホ゜ール
3       昇降ホ゜ール
30      第1の昇降ホ゜ール
31      第2の昇降ホ゜ール
4       第1のケーシンク゛
40      昇降用のヂ[タ
41      螺軸
42      螺軸
43      ナット
44      ナット
45      角筒
46      ヘ゛ース
5       傾斜俯角調整機構
6       第2のケーシンク゛
60      首振り機構
61      首振り用のヂ[タ
62      駆動側リンク
63      リンクアーム
64      従動側リンク
65      回転軸
66      首振り用の架台
67      止め具
7       支持手段
70      本体支持部
71      支持腕
72      止め具
8       防霜ファン
80      ケーシンク゛
80a     保護網
81      整流板
81a     止め具
81b     止め板
82      防霜用のファン
83      ヂ[タ
83a     ヂ[タヘ゛ース
84      カ゛ート゛
10      固定台
10a     長孔
10b     壁面
11      風達俯角調整機構
110a    長孔
110     可動板
H       圃場
H1      茶樹
H2      地面
(W1)    送風空気
(W2)    送風空気
(W3)    送風空気
(W4)    送風空気の重畳部
(W5)    送風空気の重畳部
【図１】
2004190629.tif 000003
【図２】
2004190629.tif 000004
【図３】
2004190629.tif 000005
【図４】
2004190629.tif 000006
【図５】
2004190629.tif 000007
【図６】
2004190629.tif 000008
【図７】
2004190629.tif 000009
【図８】
2004190629.tif 000010
【図９】
2004190629.tif 000011
【図１０】
2004190629.tif 000012
【図１１】
2004190629.tif 000013
【図１２】
2004190629.tif 000014
【図１３】
2004190629.tif 000015
【図１４】
2004190629.tif 000016